(57)【要約】      （修正有）【課題】安価でかつ保温、遮熱に優れ、またインテリア性を有したカーテンを提供する。【解決手段】鎖編みした経糸間に熱収縮率の大きな緯糸とフィラメントカウントの多い緯糸を一定間隔で裏側に編みこみ、それらを縦方向に編みを成長させ、その生地に熱処理することで、熱収縮率の大きな緯糸を収縮させ、熱収縮の少ないフィラメントカウントの多い緯糸が空洞部を綿状に満たすことにより縦方向に生地部を膨らませて、その断面形状が空気を保留した略Ｄ字状として、垂直方向に配置した。【選択図】図２
2013165944.tif 000002
【特許請求の範囲】
【請求項１】
多数の経糸をそれぞれ鎖編みして縦方向に編みを成長させながら、それぞれの鎖編みした経糸間に緯糸を編みこみながら、縦方向に編みを成長させ、更に該多数の鎖編みした経糸のうち、所望の本数の鎖編みした経糸を飛び越えてその両側である、隣接した鎖編みした経糸間に熱収縮率の大きな緯糸を裏側に編みこみ、同様にそれらを縦方向に編みを成長させ、一部分に２重縦編み方式を採用した生地に熱処理することで、該熱収縮率の大きな緯糸を収縮させ、該所望の本数の鎖編みした経糸及びそれらに編みこまれた緯糸による生地部を膨らませて、その断面形状が略Ｄ字状にならしめた生地を、縦編み成長方向が垂直方向に配置したことを特徴とする縦編み方式による屋内用カーテン。
【請求項２】
請求項１において、飛び越すための所望の本数の鎖編みした経糸は３から６本として、熱収縮率の大きな緯糸を編みこまない間隔は自由に選んだことを特徴とする縦編み方式による屋内用カーテン。
【請求項３】
請求項１から２において、該熱収縮率の大きな緯糸とフィラメントカウントの多い通常の熱収縮率の緯糸を同時編みあるいは混繊させ、３から６本の鎖編み経糸本数分飛ばして緯糸として用いることを特徴とする縦編み方式による屋内用カーテン。
【請求項４】
請求項１から３において、熱収縮率の大きな緯糸を編みこまない鎖編み経糸１ピッチ間を横方向で連結する緯糸に水溶性糸を使用し、編み終わり後に水洗にてその連結部を除去したことを特徴とする縦編み方式による屋内用カーテン。
【請求項５】
請求項１から４で使用する糸の一部に遮熱または遮光機能を有する糸を使用したことを特徴とする屋内用カーテン。
【請求項６】
請求項１〜５のカーテンにおいて、窓外からの侵入熱が多い場合は縦空洞部保留空気が侵入熱により加熱され、下から上へ暖気流の対流循環通路機能が現れることで暖気が効率よく部屋上部に集合し、エアコン使用時、その空気をエアコンが効率よく吸収冷却しる空気対流通路を形成し、エアコン使用時の冷却効果を高めた機能を有したことを特徴とする屋内用カーテン。
【発明の詳細な説明】
【技術分野】
【０００１】本発明は屋内で窓際等に使用されるカーテンに関する。
【背景技術】
【０００２】屋内で窓際等に使用されるカーテンは外部からの光や熱線の遮断、及び室内の暖気や冷気の外部への熱遮断、また外部から内部への視界のカット、そしてインテリア性、装飾性が求められる。また安価であることも求められている。【０００３】
【特許文献１】  公開特許公報  昭５６−１２３４７０
【特許文献２】  公開特許公報  昭５７−４７９６８関係する従来技術として上記のような特許文献がある。
【発明の開示】
【発明が解決しようとする課題】
【０００４】屋内の窓等に使用されるカーテンは外部からの光や熱線の遮断、及び室内の暖気や冷気の外部への熱遮断、また外部から内部への視界のカット等の機能が必要であり、そして安価にしてインテリア性、装飾性も求められる。またカーテン開閉時の収納性にも優れたものが要求されている。これらの要求をすべて満たすカーテンはその製作で困難なものであった。例えば光や熱の遮断を満たそうとすれば密度の濃い生地や厚みを増した生地のカーテンとなり、重量増や高価になる問題があった。装飾性を重視すれば、ドレープを有した高級感のものとなり、必ずしも遮熱効果に優れたものではなく、安価性も失われたものであった。
本発明は安価にして上記の要求をすべて満たすカーテンを提供する。
【課題を解決するための手段】
【０００５】本発明を実現するには以下の手段による。
「手段１」
多数の経糸をそれぞれ鎖編みして縦方向に編みを成長させながら、それぞれの鎖編みした経糸間に緯糸を編みこみながら、縦方向に編みを成長させ、更に該多数の鎖編みした経糸のうち、所望の本数の鎖編みした経糸を飛び越えてその両側である、隣接した鎖編みした経糸間に熱収縮率の大きな緯糸を裏側に編みこみ、同様にそれらを縦方向に編みを成長させ、一部分に２重縦編み方式を採用した生地に熱処理することで、該熱収縮率の大きな緯糸を収縮させ、該所望の本数の鎖編みした経糸及びそれらに編みこまれた緯糸による生地部を膨らませて、その断面形状が略Ｄ字状にならしめた生地を、縦編み成長方向が垂直方向に配置したことを手段とする縦編み方式による屋内用カーテン。
「手段２」
手段１において、飛び越すための所望の本数の鎖編みした経糸は３から６本として、熱収縮率の大きな緯糸を編みこまない間隔は自由に選んだことを手段とする縦編み方式による屋内用カーテン。
「手段３」
手段１から２において、熱収縮率の大きな緯糸とフィラメントカウントの多い通常の熱収縮率の緯糸を同時編みあるいは混繊させ、３から６本の鎖編み経糸本数分飛ばして緯糸として用いることを手段とする縦編み方式による屋内用カーテン。
「手段４」
手段１から３において、熱収縮率の大きな緯糸を編みこまない鎖編み経糸１ピッチ間を横方向で連結する緯糸に水溶性糸を使用し、編み終わり後に水洗にてその連結部を除去したことを手段とする縦編み方式による屋内用カーテン。
「手段５」
手段１から４で使用する糸の一部に遮熱または遮光機能を有する糸を使用したことを手段とする屋内用カーテン。
「手段６」
手段１から５のカーテンにおいて、窓外からの侵入熱が多い場合は縦空洞部保留空気が侵入熱により加熱され、下から上へ暖気流の対流循環通路機能が現れることで暖気が効率よく部屋上部に集合し、エアコン使用時、その空気をエアコンが効率よく吸収冷却する空気対流通路を形成し、エアコン使用時の冷却効果を高めた機能を有した屋内用カーテン。
【発明の効果】
【０００６】１）空気保留のための空洞部を有しているので保温効果、遮熱効果を有するカーテンとなる。
２）空洞部が縦方向にその断面がＤ字形のチューブ状に配置され、その間はフラットな布部で連結されているため、フラット部で折りたためるためカーテンの開閉がスムーズで収納性もよい。
３）チューブ状に配置された空洞部とフラット部が縦方向に交互に配置されるため縦縞デザインで美観にも優れたものとなる。
４）熱収縮率の大きな緯糸に加えてフィラメントカウントの多い通常の熱収縮率の緯糸を３以上の所望の鎖編み経糸本数分飛ばして緯糸として用いることにより、熱収縮率の大きい糸が収縮した際に通常のフィラメントカウントの多い糸は収縮しないため、空洞部を綿状に満たすことになる。そのためＤ字形断面形状がより安定し、また空気の保留を高めることになり、保温効果、遮熱効果を有するカーテンとなる。
５）糸の一部に遮熱または遮光機能を有する糸を使用すれば、カーテンとしての遮熱または遮光機能が高められる。
６）鎖編み経糸に編みこんだ水溶性緯糸は水洗で除去することで簡単にその断面がＤ字形のチューブ状の空気保有機能を有した紐状カーテンとなり間仕切りに使用すれば通り抜けも容易である。
７）屋外温度が屋内より高い場合のクーラーとしてエアコン使用時は縦方向に設けた空洞部が空気の対流通路となり乱気流を極小にした高効率冷却システムを形成する。
【図面の簡単な説明】
【０００７】
【図１】本発明の構成の一例を示したカーテンの一部を熱処理前に垂直方向から見た図
【図２】本発明の構成の一例を示したカーテンの一部を熱処理後垂直方向から見た図
【図３】本発明の図２をカーテンとして使用したときの正面方向から見た図
【図４】エアコンと併用したクーリングシステムの図
【図５】よこ編みとたて編みの図
【発明を実施するための形態】
【０００８】以下図面によって説明する。
【実施例】
【０００９】図１は本発明の構成において熱処理前のカーテンを吊下げた状態でその一部を水平にカットした断面図である。ｂは熱収縮率の大きな緯糸で構成される。またｆはフィラメントカウントの多い通常の熱収縮率の緯糸である。すなわち材質や糸のサイズの異なる２種類の糸、ｂとｒを同時編みあるいは混繊させて緯糸として使用するものである。
ｃは鎖編みされた経糸部であり、それらに通常の緯糸１であるｄが編みこまれて生地を形成している。そして図では熱収縮率の大きな緯糸ｂとフィラメントカウントの多い通常の熱収縮率の緯糸ｆが３本の鎖編みされた経糸部を飛ばしてその両サイドの鎖編みされた経糸部に編みこまれる。図１は３本の鎖編みされた経糸部を飛ばしているが４から６本でもよい。ｅは緯糸２であり、ｄと同じ緯糸であってもよいが、この緯糸２に水溶性の糸を使用すれば、生地完成後に水洗により、この部分が溶けて、後述するａ部が紐状に分離したカーテンが可能になる。
図２は本発明の構成の一例を示したもので、図１に示した手段のあとに熱処理したものであり、カーテンを吊下げた状態でその一部を水平にカットした断面図である。熱収縮率の大きな緯糸ｂが、３本の鎖編みされた経糸部を飛ばしてその両サイドの鎖編みされた経糸部に編み込まれたのちに熱処理されて収縮し、Ｄ字形断面形状を形成した図である。そのため熱収縮率の大きい緯糸ｂが収縮した際に通常のフィラメントカウントの多い緯糸ｆは収縮しないため、空洞部を綿状に満たすことになる。そのため図２に示したようなＤ字形断面形状がより安定して形成され、空気の保留を高めることになる。ａはその断面がＤ字形の空洞部であり、カーテンとして使用された場合に縦方向に垂直にチューブ状に１枚のカーテンに複数配置されたものとなる。図２における符号ｂからｆは、図１に示したものである。
図１および図２は３本の鎖編みされた経糸部を飛ばしているが４から６本でもよい。３から６本飛ばすのが実用的である理由は、熱収縮の大きな糸ｂの収縮率から来ている。窓装飾に適したＤ字状に膨らますには市販されている熱収縮の大きな糸では鎖編みした経糸を３から６本飛ばすのが実用値となるためである。
また図１および図２においてｅは隣接した鎖編みされた経糸部ｃ間に編みこまれているが、複数本の鎖編みされた経糸部ｃ間にわたり編みこまれてもよい。図１および図２は後述するたて編み方式をベースにしているので、緯糸ｂ，ｄ，ｅ，ｆ等は所望の鎖編み経糸に編みこまれながら、縦方向に編み生地を成長させていくものである。
図３は図２をカーテンとして使用した場合の正面から見た図である。図３を図２と対比して説明する。
図２のａ部はその断面がＤ字形の空洞部で縦方向に垂直にチューブ状に１枚のカーテンに複数配置され、この部分を図３ではｈ部として表示した。そして図２のｅ部はカーテンとして連結された生地の場合は通常フラットであり、図３においてはカーテンの正面から見た図となるためｇ部と表示した。ｈ部とｇ部は交互に配置される。【００１０】ｃ，ｄ，ｅ等の糸に熱遮断や熱線反射効果のある例えば酸化チタン含有糸を用いれば更に遮熱効果を有するカーテンとなる。
そして本発明の効果は、縦方向に配した多数のａ部の空洞部に通常のフィラメントカウントの多い糸ｆは収縮しないため、空洞部を綿状に満たすことになる。このため空気が保留されることにより熱遮断効果の大きい空気層が形成されるため屋外が屋内より温度が低い場合は保温効果を高め、あるいは屋外が屋内より温度が高い場合は遮熱効果を高めることになり、さらに前述した遮熱または遮光機能を有する糸を使用することにより、その効果を一段と高めた屋内用カーテンが実現する。【００１１】フィラメントカウントの多い通常熱収縮率の緯糸ｆは、フィラメントの太さが１．２Ｔ以下の太さで構成された糸を使用することで綿状効果が得られる。
Ｔはデシテックスとよばれ、１グラムの糸を１００００ｍに伸ばした場合のサイズの単位である。【００１２】図４は本発明のカーテンを室内エアコンと併用することで、高効率のクーリングシステムを安価に実現することを示した図である。本発明のカーテンを屋内で窓に使用し、夏時等の窓外からの侵入熱が多い場合は縦空洞部保留空気が侵入熱により加熱され、下から上へ暖気流の対流循環通路機能が現れる。そしてこの空洞部で暖められた暖気が効率よく部屋上部に集合し、エアコンは室内上部に取り付け使用時には、その空気をエアコンが効率よく吸収冷却しる空気対流通路を形成し、エアコン使用時の冷却効果を高めたクーリングシステムを形成する。本発明のカーテンに設けた中空縦穴部が無いと、カーテン近傍に位置した空気は暖気となるが室内を乱気流となり移動するので冷却時間を要し、また冷却効率も本発明に比較して低下することになる。【００１３】本発明のカーテンは屋内で正面から見た図３のような場合には縦方向に膨らみ部が交互に現れるので、オーロラ、滝、雨、竹林、杉等の垂直の線を含む絵模様のプリント図とよくマッチするので、保温や遮熱効果の他にインテリア性にも優れたものとなる。【００１４】生地の編み方として横編みとたて編みがある。その相違を図５に示す。
図５の横編みは横方向にループを連続させて編み地を成長させていくものである。これに対し、たて編みは縦方向にループを連続させていくものである。そして本発明は鎖編みによる経糸ループを基本としてそれらに緯糸を編みこみ縦方向に編みを成長させる。横編みは横方向にループを連続させているため、縦および横伸びが生ずる。このため衣服には適するが、カーテンには適さない。
これに対して縦編みは縦及び横伸びが少ないので、カーテン生地には適した編み方式となる。【００１５】先行類似技術として２つの引例の以下の特許文献を説明する。
特許文献１  公開特許公報昭５６−１２３４７０
特許文献２  公開特許公報昭５７−４７９６８
特許文献１は編み組織が引例の添付図に図示された、キルト、トリプルプリスター、インレイ等より、丸編みの編み組織であり編み生地が横方向に編み目を連続させて生地を作るもので、前述した横編み方式であり、縦横に伸びが生ずる。このため横編みはカーテンには用いられない編み方式である。それに対して本発明は鎖編みした経糸に緯糸を縦方向に編み目を連続させて生地を作る縦編み方式である点が基本的に相違する。即ちカーテン等に用いるには縦横の伸びの少ない縦編み方式が適している。更に、裏面積の部分には６０〜１８０°Ｃで軟化し収縮する裏糸で生地を編成し、裏糸を収縮せしめ、収縮部表部表糸に浮出効果を生じるようにした編み物地の製造方法が開示されている。しかし具体的な熱収縮の異なる糸同志の経糸横糸の関係や編み方の具体的な開示はない。そしてその用途はインテリアなる語句はあるものの、イスやシートカバーを対象としている。即ち本発明の対象であるカーテンへの開示はない。
特許文献２は熱水収縮率が５％以上異なる糸で生地を編成し熱処理する２重構造織物の製造法で製法は類似するが形状的には本発明と異なり、具体的な編み方の開示はなく、カーテンへの開示記載もない。従ってこれらの２つの先行技術から本発明が誘導されるものではない。
【産業上の利用可能性】
【００１６】本発明によるカーテンは保温、遮熱を安価に実現できインテリア製にも優れたもので室内用エアコンと併用すればその効果は増加するものであり、実用性を備え、工業的に大きな貢献が期待される。
【符号の説明】
【００１７】ａ    空洞部
ｂ    熱収縮緯糸
ｃ    鎖編み経糸
ｄ    緯糸１
ｅ    緯糸２
ｆ    フィラメントカウントの多い緯糸
ｇ    図２のｅ部をカーテンとして正面から見た部分
ｈ    図２のａ部をカーテンとして正面から見た部分
【図１】
2013165944.tif 000003
【図２】
2013165944.tif 000004
【図３】
2013165944.tif 000005
【図４】
2013165944.tif 000006
【図５】
2013165944.tif 000007